(57)【要約】【課題】  発泡合成樹脂製の基材の表面に板材が設けてある表示板の所要箇所への取り付けが簡単にできる表示体及び表示体を構成する取付用部材を提供する。【解決手段】  看板Ｋは、表示板１と、表示板１の周縁部側に取り付けられる取付用部材２ａ、２ｂ、２ｃ、２ｄを備えている。表示板１は、ポリスチレン製の基材１０の表裏面に、鉄製の板材１１，１１を接着して形成してある。板材１１，１１の端縁よりやや内側の部分には掛止部１２が複数箇所に設けてある。取付用部材２の相対向した側壁部２６の内面部には、掛止部１２と掛合する掛止爪２２が設けてある。看板Ｋは、取付用部材２ａ、２ｂ、２ｃ、２ｄの掛止爪２２を掛止部１２に引っ掛けるよう表示板１の縁に嵌めて取り付けられる。看板Ｋは、支持体５を通した取着木ネジ６を取付用部材２ｃの基壁部２５及び裏当部２０にねじ込んで支持体５に取り付けられる。【選択図】        図１
2005173502.tif 000002
【特許請求の範囲】
【請求項１】
発泡合成樹脂製の基材の表面部に板材を設けて形成してある表示板と、
表示板の縁に取り付けられる取付用部材と、
を備えており、
取付用部材は、表示板に係合する係合手段と、表示板が外れない状態を維持する手段とを備えると共に、表示体を支持する支持手段に取付可能に構成されていることを特徴とする、
表示体。
【請求項２】
発泡合成樹脂製の基材の表面部に板材を設けて形成してある表示板と、
表示板の縁に取り付けられる取付用部材と、
を備えており、
取付用部材は複数の構成体で構成されており、各構成体を表示板と係合状態で全周に配し、各構成体を相互に連結または固着して、表示板が外れない状態が維持できるよう構成してあると共に、表示体を支持する支持手段に取付可能に構成されていることを特徴とする、
表示体。
【請求項３】
表示板と構成体を仮止めする手段を有することを特徴とする、
請求項２記載の表示体。
【請求項４】
取付用部材は、上面上の液体が表示板の表裏面に流れ落ちないようにする手段を有することを特徴とする、
請求項１、２または３記載の表示体。
【発明の詳細な説明】
【技術分野】
【０００１】
本発明は表示体に関する。更に詳しくは、発泡合成樹脂製の基材を芯材として備えた表示体の支持体等への取り付けが簡単にできるようにするものに関する。
【背景技術】
【０００２】
看板は宣伝広告の媒体として広く使用されている。また、看板は、その性質上、広告の内容を変えるために表示板が交換されることが多い。
【０００３】
従来において看板を構成する表示板は、軽量化を図るために、角パイプやＣ型鋼等を格子状に組んだ芯材の両面にトタン製の板材等を張り合わせて形成してあるものが一般的である。
【０００４】
しかし、この構造を有する表示板でも、大型化すれば相当な重量を有する。このため従来の大型の看板は、搬送や取り付け（設置）等が容易でなかった。
【０００５】
また、格子状に組んだ芯材の両面に板材を張り合わせているので、芯材が配置されない板材の内側には空間が形成されていた。そのため外力を受けた場合では、上記空間と対応する箇所の板材が凹んで外観を悪くすることがあった。
【０００６】
更に、板材はネジ、釘、リベット等によって芯材に固定されていたので、これらの固定具の一部が露出して表面に凹凸を形成しており、この点についても外観を悪くしていた。
【０００７】
そこで近年では、所要の厚みを有する発泡合成樹脂製の基材を芯材とし、その表面に板材を接着剤で貼って表示板を形成するようにしたものが開発されている（例えば、特許文献１に開示された看板がある）。
【０００８】
このような表示板は、大型化しても上記したものより格段に軽くできる。従って、搬送や取り付けが比較的容易である。また、板材の裏側に空間もないので、板材が凹んだりもしない。更には、板材の取り付けにネジ等も使わず表面が平らにできるので見た目も美しい、という利点がある。
【０００９】
【特許文献１】実開平６−８４４８０号公報
【発明の開示】
【発明が解決しようとする課題】
【００１０】
しかし、特許文献１記載のものには、次のような課題があった。
発泡合成樹脂製の基材を使用したものは、発泡合成樹脂が軟らかいため基材部分にネジや釘等を利かせることができない。従って、文献記載の表示板は、表示板を支持する支持体自体が挟持部を備える構造を有するようにして、この挟持部内に表示板の側縁部を圧入するよう押し込み、表裏面側をきつく挟み込むことで支持体に取り付けられていた。つまり、表示板は挟持部の挟む力だけで取り付けられており、支持体の挟持部は相当に強い挟持力を有するよう構成してあった。そのため表示板の支持体への取り付けは容易ではなかった。
【００１１】
本発明の目的は、発泡合成樹脂製の基材を芯材として備えた表示体の支持体等への取り付けが簡単にできる表示体を提供することにある。
【課題を解決するための手段】
【００１２】
上記目的を達成するために講じた本発明の手段は次のとおりである。
第１の発明にあっては、
発泡合成樹脂製の基材の表面部に板材を設けて形成してある表示板と、
表示板の縁に取り付けられる取付用部材と、
を備えており、
取付用部材は、表示板に係合する係合手段と、表示板が外れない状態を維持する手段とを備えると共に、表示体を支持する支持手段に取付可能に構成されていることを特徴とする、
表示体である。
【００１３】
第２の発明にあっては、
発泡合成樹脂製の基材の表面部に板材を設けて形成してある表示板と、
表示板の縁に取り付けられる取付用部材と、
を備えており、
取付用部材は複数の構成体で構成されており、各構成体を表示板と係合状態で全周に配し、各構成体を相互に連結または固着して、表示板が外れない状態が維持できるよう構成してあると共に、表示体を支持する支持手段に取付可能に構成されていることを特徴とする、
表示体である。
【００１４】
第３の発明にあっては、
表示板と構成体を仮止めする手段を有することを特徴とする、
第２の発明に係る表示体である。
【００１５】
第４の発明にあっては、
取付用部材は、上面上の液体が表示板の表裏面に流れ落ちないようにする手段を有することを特徴とする、
第１，第２または第３の発明に係る表示体である。
【００１６】
取付用部材は、表示板の縁に着脱可能に取り付けることもできる。
【００１７】
基材を構成する発泡合成樹脂としては、特に限定するものではないが、例えば、ポリスチレン、ポリウレタン、これらの複合物等を挙げることができる。また、基材は高発泡でも低発泡のものでも使用できる。更に、基材は連続発泡でも独立発泡のものでも使用できる。
【００１８】
板材を構成する材料は、特に限定するものではなく、例えば、金属であれば鉄、ステンレス、銅、アルミニウム等、合成樹脂、薄く形成した木材、これらの複合物等を挙げることができる。
【００１９】
取付用部材を構成する材料は、表示体を支持する支持手段に取付可能に構成されていれば、特に限定するものではなく、例えば、金属であればアルミニウム、ステンレス、銅、鉄等、合成樹脂、薄く形成した木材、これらの複合物等を挙げることができる。
【００２０】
表示板は、表面に文字、記号、模様、絵（イラスト、写真等）等を設け、これらを表示する機能を備えている。具体的に言えば、例えば、看板、掲示板、黒板、白板等を挙げることができる。なお、表示板に表示されるものは、文字、記号、模様、絵等に限定されない。また、表示板に表示されるものは、宣伝広告を図る目的を有するものでも良いし、単なる標識として機能させるだけのものでも良い。
【００２１】
表示板の大きさは、特に限定するものではなく、大型のものでも、小型のものでも形成可能である。
（作  用）
【００２２】
表示体は、表示板の縁に取付用部材を取り付けて構成される。詳しくは、係合手段により係合し、表示板が外れない状態を維持する手段によって、表示板が取付用部材から外れないよう取り付けられて構成される。また、取付用部材が複数の構成体で構成してあるものは、各構成体を全周に配して相互に連結または固着することで、表示板が外れない状態を維持するように取り付けられて構成される。従って、表示体は、金属や合成樹脂製の取付用部材を用いたような場合、表示板の縁に強度を備えながら、ネジや溶接等のいろいろな手段によって支持手段に取り付け可能である。
【００２３】
表示板と構成体を仮止めする手段を有するものは、表示板の縁に取り付けた各構成体を、相互に連結または固着する前の状態で止めておくことができる。従って、表示板の縁に取り付けた各構成体を相互に連結または固着する作業が簡単である。
【００２４】
取付用部材が、上面上の液体が表示板の表裏面に流れ落ちないようにする手段を有するものは、例えば、雨に濡れた場合でも、取付用部材の上面上に溜まった埃や塵等のゴミが表示板の表裏面に流れ落ちないようにして、表裏面の汚れ防止を図ることができる。
【発明の効果】
【００２５】
本発明は上記構成を備え、次の効果を有する。
（ａ）本発明に係る表示体は、例えば、金属や合成樹脂製の取付用部材を用いたような場合、表示板の縁に強度を備えながら、ネジや溶接等のいろいろな手段によって支持手段に取り付け可能である。つまり、発泡合成樹脂製の基材を芯材として備えた表示体でありながら簡単に支持体に取り付けることができる。
【００２６】
（ｂ）表示板と構成体を仮止めする手段を有するものは、表示板の縁に取り付けた各構成体を、相互に連結または固着する前の状態で止めておくことができるので、表示板の縁に取り付けた各構成体を相互に連結または固着する作業が簡単である。
【００２７】
（ｃ）取付用部材が、上面上の液体が表示板の表裏面に流れ落ちないようにする手段を有するものは、例えば、雨に濡れた場合でも、取付用部材の上面上に溜まった埃や塵等のゴミが表示板の表裏面に流れ落ちないようにして、表裏面の汚れ防止を図ることができる。
【発明を実施するための最良の形態】
【００２８】
本発明の実施の形態を図面に基づき更に詳細に説明する。
図１は本発明に係る表示体の一実施の形態である看板を示す分解斜視説明図、
図２は看板の角部を拡大して示す分解斜視説明図、
図３は看板の角部を示す正面図、
図４は看板の要部縦断面説明図、
図５は看板の要部横断面説明図である。
【００２９】
符号Ｋは表示体である看板を示している。看板Ｋは、正面視縦長の長方形形状を有する表示板１と、表示板１の周縁に取り付けられる金属製（本実施の形態では具体的にアルミニウム製）の構成体である取付用部材２ａ、２ｂ、２ｃ、２ｄを備えている。詳しくは、表示板１の上下縁に取り付けられる取付用部材２ａ、２ｂは、両側縁に取り付けられる取付用部材２ｃ、２ｄより長さがやや短く形成してある。
【００３０】
表示板１は、発泡合成樹脂製（本実施の形態では具体的にポリスチレン製）の基材１０の表裏面に、金属製（本実施の形態では具体的に鉄製）の板材１１，１１を接着して形成してある。表示板１は長方形状であり、基材１０及び板材１１は、厚みを除き共に略同じ形状を有している。
【００３１】
基材１０の全周にわたる端面部には、取付用部材２ａ、２ｂ、２ｃ、２ｄの各裏当部２０（後で説明する）を収容する溝状の収容部１００，１００が、幅方向に所要間隔をもって二本ずつ並べて形成してある。各収容部１００は、取付用部材２ａ、２ｂ、２ｃ、２ｄを表示板１に取り付けたときに、収容した裏当部２０との間に実質的に隙間が形成されない大きさ及び形状に形成してある。
【００３２】
板材１１，１１の周縁よりやや内側の部分には、取付用部材２ａ、２ｂ、２ｃ、２ｄを表示板１に係合した状態で取り付ける係合手段である掛止部１２・・・が所要間隔をおいて複数箇所に設けてある。各掛止部１２は、タッカーによる針を板材１１，１１の表面に打ちつけて形成してある。掛止部１２は、表示板と構成体を仮止めする手段を構成する。
【００３３】
取付用部材２ａ、２ｂ、２ｃ、２ｄは、表示板１の縁において板材１１，１１の端縁を覆って取り付けられるよう、基材１０の端面と対応する基壁部２５と、相対向する側壁部２６，２６を備えて、外形状が横断面視略「コ」型形状を有するよう形成してある。
【００３４】
基壁部２５の内面部には、幅方向に所要間隔をもって二箇所に、上記した裏当部２０，２０が長さ方向の全長にわたり突出して並設してある。裏当部２０の内部には、長さ方向の全長にわたり空洞部２００が形成してある。空洞部２００を構成する裏当部２０の内壁部には雌ネジ溝（符号省略）が形成してある。
各裏当部２０の先端（表示板１側）には、空洞部２００が外部と通じるようにする開口溝２０１が、長さ方向の全長にわたり形成してある。
各裏当部２０と対応する基壁部２５の外面には、裏当部２０の位置を外部側からでも分かるようにする目印部２１が、溝部を長さ方向の全長にわたり形成して設けてある。
【００３５】
側壁部２６，２６の内面部には、掛止部１２と掛止して表示板１の縁に係合した状態で取り付けられるようにする係合手段である掛止爪２２，２２が、長さ方向の全長にわたり形成して設けてある。掛止爪２２は、表示板と構成体を仮止めする手段を構成する。
【００３６】
各掛止爪２２より基部側の内面部には、取付用部材２ａ、２ｂ、２ｃ、２ｄを表示板１に取り付けたときにおいて、側壁部２６の内面と板材１１の表面との隙間に配置されるスペーサ２６０がやや膨出して形成してある。
【００３７】
表示板１の上縁に取り付けられる取付用部材２ａには、基壁部２５の外面の長さ方向に沿う両側に、上方にやや盛り上がった流路形成部２５０，２５０が形成してある。取付用部材２ａの外面（上面）には、この流路形成部２５０，２５０により流路が形成されており、例えば雨が取付用部材２ａの外面上に溜まった場合でも、板材１１側に流れないようにして汚れが防止できるようにしてある。なお、流路は勾配を付けて所定の方向に流れ易くすることもできる。流路形成部２５０は、液体が表示板の表裏面に流れ落ちないようにする手段を構成する。
【００３８】
また、表示板１の両側縁に取り付けられる取付用部材２ｃ、２ｄの上下端側には、目印部２１から裏当部２０の空洞部２００に連通するよう水平方向に貫通した貫通孔２３が形成してある。各貫通孔２３には皿ネジ３の頭部が内蔵可能な座ぐり部２３０が形成してある。
【００３９】
表示板１の上縁には取付用部材２ａが取り付けられ、下縁には取付用部材２ｂは取り付けられ、両側縁には取付用部材２ｃ、２ｄが取り付けられる。詳しくは取付用部材２ａ、２ｂ、２ｃ、２ｄは、側壁部２６，２６で囲まれた内部に表示板１の縁側が入り込むように圧入して、掛止爪２２，２２を掛止部１２に引っ掛けることで縁から簡単に外れないように取り付けられる。この状態における看板Ｋは、表示体１の端部側が取付用部材２ａ、２ｂ、２ｃ、２ｄで覆われているので、切れ端が見えず外観が良い。
【００４０】
表示板１の上下縁に取り付けられた取付用部材２ａ、２ｂと、両側縁に取り付けられた取付用部材２ｃ、２ｄは、取付用部材２ｃ、２ｄに形成してある貫通孔２３に皿ネジ３を入れ、裏当部２０を突き通して、取付用部材２ａ、２ｂの雌ネジ溝にねじ込むことで連結され枠組した状態で一体化される。取付用部材２ａ、２ｂ、２ｃ、２ｄが枠組した状態で取り付けられることにより、表示板１は強度が向上する。なお、取付用部材２ａ、２ｂと取付用部材２ｃ、２ｄを連結するネジは、タッピングネジを使用することもできる。タッピングネジを使用した場合では、裏当部２０の内壁部に形成した雌ネジ溝は設ける必要がない。取付用部材のネジと雌ネジ溝（雌ネジ溝がない場合は、ネジがねじ込まれる部分）は、表示板が外れない状態を維持する手段を構成する。
【００４１】
表示板１の上縁に取り付けられた取付用部材２ａの両端には、基材１０の露出した部分を隠す合成樹脂製の隠蔽部材４，４が設けられる。各隠蔽部材４は、取付用部材２ａの基壁部２５と略同じ外形状を有するよう形成してある。また、表示板１の下縁に取り付けられた取付用部材２ｂの両端には、隠蔽部材４ｂ，４ｂが設けられる。各隠蔽部材４ｂは、取付用部材２ｂの基壁部２５と略同じ外形状を有するよう形成してある。各隠蔽部材４，４ｂは接着剤等によって貼着される。なお、隠蔽部材４，４ｂを形成する材料は特に限定するものではなく、例えば、ステンレス、銅、アルミニウム、鉄等の金属、薄く形成した木材、これらの複合物（金属も含む）等でも形成できる。
【００４２】
本実施の形態において掛止部１２は、タッカーによる針を板材１１，１１の表面に打ちつけて形成したが、掛止部を構成するものは特に限定するものではない。取付用部材が掛止可能な部分を形成することができれば、例えば、タッカーの代わりにネジや釘等を使用することもできる。また、予め板材の製造時に掛止可能な部分を一体成形によりしておくこともできる。
【００４３】
なお、表示板１の形状は、長方形状に限定するものではなく、例えば、正方形状、菱形状、平行四辺形状、三角形状、円形状、多角形状等、種々変形可能である。また、基材１０と板材１１の形状も、後に示すような支持体への取り付けに支障がなければ、互いに異なる形状のものを組み合わせても良い。
【００４４】
板材１１や取付用部材２は、表面に塗装やメッキ等の処理を施したもの（例えば、板材１１の場合ではトタンやブリキ）でも使用できる。
（作  用）
【００４５】
図１ないし図５を参照して、本実施の形態で示す看板Ｋの作用を説明する。
看板Ｋは、例えば、図５において想像線で示すような支持体５に取り付けられて使用される。なお、ここで示す支持体５は横断面視略長方形状の四角柱体形状を有するものを使用したが、支持体の形状は特に限定するものではない。
支持体５の所要位置には、水平方向に貫通した貫通孔５０が形成されている。貫通孔５０は、取付用部材２ｃ、２ｄの目印部２１及び裏当部２０と対応するように形成されている。
【００４６】
看板Ｋは、支持体５の側面に、取付用部材２ｃ、２ｄ（図５で取付用部材２ｄは図示されていない）の基壁部２５の外面を当て、支持体５の反対の側面側から貫通孔５０に螺設手段である取着木ネジ６を入れて、この取着木ネジ６を目印部２１から基壁部２５及び裏当部２０にねじ込むことで簡単に支持体５に取り付けられる。また、基壁部２５及び裏当部２０にねじ込んだ取着木ネジ６を抜くことで、看板Ｋは支持体５から取り外すことができる。
このように看板Ｋは、支持体５への取り付け及び取り外しが簡単にでき、これのより交換作業が楽にできる。
【００４７】
また、本実施の形態で示す取付用部材２ａ、２ｂ、２ｃ、２ｄは、例えば、隠蔽部材４，４ｂを剥ぎ取った後、それぞれの長さ方向にスライドすることで、表示体１から取り外すこともできる。この場合では表示板１だけを交換することもできる。
【００４８】
本実施の形態で取着木ねじ６は、基壁部２５及び裏当部２０にねじ込むことで支持体５に取り付けられるようにしたが、これは限定するものではなく、少なくとも貫通孔５０を抜けた部分の取着木ねじ６が取付用部材に利いた状態でねじ込めれば良い。従って、場合によっては裏当部２０には、ねじ込まれていなくても良い。
【００４９】
また、本実施の形態において看板Ｋと支持体５は、取着木ねじ６により固着したが、これは限定するものではなく、看板Ｋと支持体５は、例えば、取付用部材と支持体５とを溶接することで取り付けることもできる。
【００５０】
本実施の形態で看板は、両側縁に取り付けた取付用部材２ｃ、２ｄを支持体５に取り付けるようにしたが、これは限定するものではなく、例えば、上縁や下縁に取り付けた取付用部材２ａ、２ｂを支持体に取り付けることもできる。つまり、表示体の縁に取り付けられた取付用部材は、取り付け箇所に関係なく支持体に取り付けることが可能である。従って、表示体を支持体に取り付けるだけであれば、取付用部材は表示体の全周に枠組するよう取り付けられていなくても良い。
【００５１】
本明細書で使用している用語と表現は、あくまでも説明上のものであって、なんら限定的なものではなく、本明細書に記述された特徴およびその一部と等価の用語や表現を除外する意図はない。また、本発明の技術思想の範囲内で、種々の変形態様が可能であるということは言うまでもない。
【図面の簡単な説明】
【００５２】
【図１】本発明に係る表示体の一実施の形態である看板を示す分解斜視説明図。
【図２】看板の角部を拡大して示す分解斜視説明図。
【図３】看板の角部を示す正面図。
【図４】看板の要部縦断面説明図。
【図５】看板の要部横断面説明図。
【符号の説明】
【００５３】
Ｋ  看板
Ｃ  角パイプ
１  表示板
１０  基材
１００  収容部
１１  板材
１２  掛止部
２ａ、２ｂ、２ｃ、２ｄ  取付用部材
２０  裏当部
２００  空洞部
２０１  開口溝
２１  目印部
２２  掛止爪
２３  貫通孔
２３０  座ぐり部
２５  基壁部
２５０  流路形成部
２６  側壁部
２６０  スペーサ
３  皿ネジ
４，４ｂ  隠蔽部材
５  支持体
５０  貫通孔
６  取着ネジ
【図１】
2005173502.tif 000003
【図２】
2005173502.tif 000004
【図３】
2005173502.tif 000005
【図４】
2005173502.tif 000006
【図５】
2005173502.tif 000007